(57)【要約】【課題】遮光と共に良好な視界を得ることができ、しかも、夏場においては太陽光で暖められ、冬場においては外気で冷やされたガラス障子際の空気を夫々効果的に建物の空調機又は建物の外部に導くことができる遮光スクリーン装置及びそれを具備した建物を提供すること。【解決手段】遮光スクリーン装置５は、ロール１１及び１２と、一端１３がロール１１に連結されており、他端１４がロール１２に連結されている紐状体１５及び１６と、紐状体１５及び１６間に張設されている可撓性の遮光スクリーン１７と、紐状体１５及び１６の一端１３側をロール１１に巻き込ませるように、ロール１１を回転させるロール回転機構１８と、紐状体１５及び１６に張力を与えると共に紐状体１５及び１６の他端１４側をロール１２に巻き込ませるような弾性的回転力をロール１２に付与する弾性的回転力付与機構１９とを具備している。【選択図】      図１
2004257077.tif 000002
【特許請求の範囲】
【請求項１】
互いに間隔をもって配された一対のロールと、夫々の一端が一対のロールのうちの一方のロールに連結されており、夫々の他端が一対のロールのうちの他方のロールに連結されていると共に互いに間隔をもって配された可撓性の一対の紐状体と、一対の紐状体間に張設されている可撓性の遮光スクリーンと、一対の紐状体の一端側を一方のロールに巻き込ませるように、一方のロールを回転させるロール回転機構と、一対の紐状体に張力を与えると共に一対の紐状体の他端側を他方のロールに巻き込ませるような弾性的回転力を他方のロールに付与する弾性的回転力付与機構とを具備しており、遮光スクリーンは、ロール回転機構による一方のロールの一の方向の回転及びこの一方のロールの一の方向の回転に起因する他方のロールの一の方向の回転で一対の紐状体を介して移動されて一の移動位置に配される際には建物の開口部における下方域又は上方域を除くその他の領域を遮蔽することができる一方、ロール回転機構による一方のロールの他の一の方向の回転及びこの一方のロールの他の一の方向の回転に起因すると共に弾性的回転力付与機構の弾性的回転力による他方のロールの他の一の方向の回転で一対の紐状体を介して移動されて他の一の移動位置に配される際には建物の開口部における上方域又は下方域を除くその他の領域を遮蔽することができる長さを有している遮光スクリーン装置。
【請求項２】
遮光スクリーンは、ロール回転機構による一方のロールの一の方向の回転及びこの一方のロールの一の方向の回転に起因する他方のロールの一の方向の回転で一対の紐状体を介して移動されて又はロール回転機構による一方のロールの他の一の方向の回転及びこの一方のロールの他の一の方向の回転に起因すると共に弾性的回転力付与機構の弾性的回転力による他方のロールの他の一の方向の回転で一対の紐状体を介して移動されて更に他の一の移動位置に配される際には建物の開口部の全領域を遮蔽することができる長さを有している請求項１に記載の遮光スクリーン装置。
【請求項３】
遮光スクリーンは、その各縁部で対応の紐状体にファスナーを介して取り外し自在に取り付けられている請求項１又は２に記載の遮光スクリーン装置。
【請求項４】
紐状体はワイヤロープ又はベルトからなる請求項１から３のいずれか一項に記載の遮光スクリーン装置。
【請求項５】
一方のロールは中空体からなり、ロール回転機構は、回転力発生源として、一方のロールと同心に配されたチューブラモータを具備している請求項１から４のいずれか一項に記載の遮光スクリーン装置。
【請求項６】
弾性的回転力付与機構は、弾性的回転力発生源として巻きばねを具備している請求項１から５のいずれか一項に記載の遮光スクリーン装置。
【請求項７】
弾性的回転力付与機構は、他方のロールの回転軸に固着された第一のプーリと、回転自在に支持されている第二のプーリと、一端が第一のプーリに、他端が第二のプーリに夫々連結された紐状体とを具備しており、第二のプーリには巻きばねにより一方の方向の弾性的回転力が与えられるようになっている請求項６に記載の遮光スクリーン装置。
【請求項８】
他方のロールは中空体からなり、巻きばねは、その一端が他方のロールにその他端が他方のロールを回転自在に支持する軸に夫々連結されて他方のロール内に配されている請求項６に記載の遮光スクリーン装置。
【請求項９】
請求項１から８のいずれか一項に記載の遮光スクリーン装置が開口部のガラス障子際に配されてなる建物。
【請求項１０】
請求項１から８のいずれか一項に記載の遮光スクリーン装置が複数個互いに並置されて開口部のガラス障子際に配された建物。
【請求項１１】
遮光スクリーン装置は、一方のロールを回転自在に収容する第一のハウジングと、他方のロールを回転自在に収容する第二のハウジングとを更に具備しており、第一及び第二のハウジングの夫々は、一対の紐状体及び遮光スクリーンが通過し得ると共にガラス障子際の空気層を第一及び第二のハウジングの夫々の内部に連通させる開口を有しており、第一及び第二のハウジングのうちの少なくとも一方のハウジングの内部は、建物の空調機又は建物の外部に連通されている請求項９又は１０に記載の建物。
【発明の詳細な説明】
【０００１】
【発明の属する技術分野】
本発明は、建物の窓際に配されて好適な遮光スクリーン装置及びそれを具備した建物に関する。
【０００２】
【従来の技術】
【特許文献１】
特開２００１−２５３７３４号公報
【特許文献２】
特開２００２−９７８６３号公報
【特許文献３】
特開２００２−２０６３７６号公報
【０００３】
【発明が解決しようとする課題】
最近の建物の窓では、ガラス障子を二重にしてその間に中空層（空気層）を設け、この中空層を断熱層として利用して外気の温度変化に建物内の温度が影響されないようにし、建物内の温度維持のためのエネルギ消費量を少なくすることが試みられている。
【０００４】
しかしながら、斯かる二重ガラス障子でもってエネルギ消費量を減らそうとしても、太陽光が二重ガラス障子を通って建物内に侵入して二重ガラス障子の近傍の建物内の空気温度を上昇させる結果、エネルギ消費量の低減はそれ程期待できない。
【０００５】
また、太陽光を遮蔽するためにガラス障子にブラインド、遮光スクリーン等を並設しても、ガラス障子とブラインド、遮光スクリーン等との間の隙間の空気が太陽光により暖められて、この暖められた空気が建物内に侵入する結果、結局、ブラインド、遮光スクリーン等は遮光機能しか果たさないものとなる。
【０００６】
加えて、二重ガラス障子では、内部の空気層に水分が侵入すると曇り等が生じて視界を妨げて、これの対策にかなりの費用を掛けなければならないことになり、また、ブラインド、遮光スクリーン等を並設したとしてもそれにより視界が妨げられて、良好な視界を得られない虞もある。
【０００７】
本発明は前記諸点に鑑みてなされたものであって、その目的とするところは、遮光と共に良好な視界を得ることができ、しかも、夏場においては太陽光で暖められ、冬場においては外気で冷やされたガラス障子際の空気を夫々効果的に建物の空調機又は建物の外部に導くことができる遮光スクリーン装置及びそれを具備した建物を提供することにある。
【０００８】
【課題を解決するための手段】
本発明の第一の態様の遮光スクリーン装置は、互いに間隔をもって配された一対のロールと、夫々の一端が一対のロールのうちの一方のロールに連結されており、夫々の他端が一対のロールのうちの他方のロールに連結されていると共に互いに間隔をもって配された可撓性の一対の紐状体と、一対の紐状体間に張設されている可撓性の遮光スクリーンと、一対の紐状体の一端側を一方のロールに巻き込ませるように、一方のロールを回転させるロール回転機構と、一対の紐状体に張力を与えると共に一対の紐状体の他端側を他方のロールに巻き込ませるような弾性的回転力を他方のロールに付与する弾性的回転力付与機構とを具備しており、ここで、遮光スクリーンは、ロール回転機構による一方のロールの一の方向の回転及びこの一方のロールの一の方向の回転に起因する他方のロールの一の方向の回転で一対の紐状体を介して移動されて一の移動位置に配される際には建物の開口部における下方域又は上方域を除くその他の領域を遮蔽することができる一方、ロール回転機構による一方のロールの他の一の方向の回転及びこの一方のロールの他の一の方向の回転に起因すると共に弾性的回転力付与機構の弾性的回転力による他方のロールの他の一の方向の回転で一対の紐状体を介して移動されて他の一の移動位置に配される際には建物の開口部における上方域又は下方域を除くその他の領域を遮蔽することができる長さを有している。
【０００９】
第一の態様の遮光スクリーン装置によれば、遮光スクリーンを建物の開口部における下方域又は上方域を除くその他の領域を遮蔽する一の移動位置と建物の開口部における上方域又は下方域を除くその他の領域を遮蔽する他の一の移動位置とに配することができる結果、一の移動位置では下方又は上方の視界を確保できる一方、他の一の移動位置では上方又は下方の視界を確保でき、而して、建物の開口部における部分的な遮光を行いながら建物の開口部における上下のいずれかの視界を確保できる。
【００１０】
本発明の第二の態様の遮光スクリーン装置では、第一の態様の遮光スクリーン装置において、遮光スクリーンは、ロール回転機構による一方のロールの一の方向の回転及びこの一方のロールの一の方向の回転に起因する他方のロールの一の方向の回転で一対の紐状体を介して移動されて又はロール回転機構による一方のロールの他の一の方向の回転及びこの一方のロールの他の一の方向の回転に起因すると共に弾性的回転力付与機構の弾性的回転力による他方のロールの他の一の方向の回転で一対の紐状体を介して移動されて更に他の一の移動位置に配される際には建物の開口部の全領域を遮蔽することができる長さを有している。
【００１１】
第二の態様の遮光スクリーン装置によれば、部分的な遮光に加えて建物の開口部における全体の遮光を行い得る。
【００１２】
本発明の第三の態様の遮光スクリーン装置では、第一又は第二の態様の遮光スクリーン装置において、遮光スクリーンは、その各縁部で対応の紐状体にファスナーを介して取り外し自在に取り付けられている。
【００１３】
第三の態様の遮光スクリーン装置によれば、遮光スクリーンが紐状体に対して取り外し自在であるために、設置作業の最後において遮光スクリーンを紐状体に取り付けることができる結果、美観を要求される遮光スクリーンに傷、汚れなどを生じさせる虞がなく、しかも、遮光スクリーンの交換も容易くできるために、常に、美麗な遮光スクリーンでもって遮光を行い得る。
【００１４】
ファスナーとしては、スライドファスナーを代表例の一つとして挙げることができるが、面ファスナー等のその他のファスナーであってもよい。
【００１５】
本発明の第四の態様の遮光スクリーン装置では、第一から第三のいずれかの態様の遮光スクリーン装置において、紐状体はワイヤロープ又はベルトからなる。
【００１６】
本発明の第五の態様の遮光スクリーン装置では、第一から第四のいずれかの態様の遮光スクリーン装置において、一方のロールは中空体からなり、ロール回転機構は、回転力発生源として、一方のロールと同心に配されたチューブラモータを具備している。
【００１７】
第五の態様の遮光スクリーン装置によれば、一方のロールと同心に配されたチューブラモータを具備しているために、一方のロール周りをコンパクトにでき、建物の開口部周りにコンパクトに遮光スクリーン装置を設置できる。
【００１８】
本発明の第六の態様の遮光スクリーン装置では、第一から第五のいずれかの態様の遮光スクリーン装置において、弾性的回転力付与機構は、弾性的回転力発生源として巻きばねを具備している。
【００１９】
第六の態様の遮光スクリーン装置における巻きばねを具備した弾性的回転力付与機構は、本発明の第七の態様の遮光スクリーン装置のように、他方のロールの回転軸に固着された第一のプーリと、回転自在に支持されている第二のプーリと、一端が第一のプーリに、他端が第二のプーリに夫々連結された紐状体とを具備しており、第二のプーリには巻きばねにより一方の方向の弾性的回転力が与えられるようになっていてもよい。
【００２０】
本発明の第八の態様の遮光スクリーン装置では、第六の態様の遮光スクリーン装置において、他方のロールは中空体からなり、巻きばねは、その一端が他方のロールにその他端が他方のロールを回転自在に支持する軸に夫々連結されて他方のロール内に配されている。
【００２１】
第八の態様の遮光スクリーン装置によれば、他方のロール周りをコンパクトにでき、第五の態様の遮光スクリーン装置と同様に、建物の開口部周りにコンパクトに遮光スクリーン装置を設置できる。
【００２２】
本発明の第一の態様の建物は、上記のいずれかの態様の遮光スクリーン装置が開口部のガラス障子際に配されてなる。
【００２３】
第一の態様の建物によれば、遮光スクリーン装置の遮光スクリーンとガラス障子との間に空気層を形成でき、夏場においては遮光スクリーンを開口部の下方域を除くその他の領域を遮蔽する移動位置に配することにより太陽光で暖められた空気層の空気を、冬場においては遮光スクリーンを上方域を除くその他の領域を遮蔽する移動位置に配することにより外気で冷やされた空気層の空気を夫々建物内に拡散させないようにできる上に、いずれの場合も部分的な視界を得ることができる。
【００２４】
本発明では、ガラス障子は、一枚のガラス板からなるものでも、更にはガラス板を二重にしてその間に中空層（空気層）を設けてなるものでもよい。
【００２５】
本発明の第二の態様の建物は、上記のいずれかの態様の遮光スクリーン装置が複数個互いに並置されて開口部のガラス障子際に配されてなる。
【００２６】
第二の態様の建物によれば、広幅の開口部を遮光できる上に、複数枚の遮光スクリーンに対してロール回転機構及び弾性的回転力付与機構を共用しない場合には、複数個の遮光スクリーン装置で各個独立に遮光できて種々の視界を確保できる一方、複数枚の遮光スクリーンに対してロール回転機構及び弾性的回転力付与機構を共用する場合には、同期的に遮光できて煩わしい操作を回避できる。
【００２７】
本発明の第三の態様の建物では、第一又は第二の態様の建物において、遮光スクリーン装置は、一方のロールを回転自在に収容する第一のハウジングと、他方のロールを回転自在に収容する第二のハウジングとを更に具備しており、ここで、第一及び第二のハウジングの夫々は、一対の紐状体及び遮光スクリーンが通過し得ると共にガラス障子際の空気層を第一及び第二のハウジングの夫々の内部に連通させる開口を有しており、第一及び第二のハウジングのうちの少なくとも一方のハウジングの内部は、建物の空調機又は建物の外部に連通されている。
【００２８】
第三の態様の建物によれば、夏場においては太陽光で暖められ、冬場においては外気で冷やされたガラス障子際の空気を夫々効果的に建物の空調機又は建物の外部に導くことができ、空調に対するエネルギ消費量を大幅に削減できる。
【００２９】
次に本発明及びその実施の形態を、図に示す好ましい例を参照して説明する。なお、本発明はこれら例に何等限定されないのである。
【００３０】
【発明の実施の形態】
図１及び図２において、本例の建物１は、外壁２の開口部３に取り付けられたガラス障子４と、開口部３のガラス障子４際に配され遮光スクリーン装置５とを具備している。
【００３１】
遮光スクリーン装置５は、互いに上下方向に関して間隔をもって配された一対のロール１１及び１２と、夫々の一端１３がロール１１に連結されており、夫々の他端１４がロール１２に連結されていると共に互いに横方向に関して間隔をもって配されており、ワイヤロープ又はベルト、本例ではベルトからなる可撓性の一対の紐状体１５及び１６と、一対の紐状体１５及び１６間に張設されている可撓性の遮光スクリーン１７と、一対の紐状体１５及び１６の一端１３側をロール１１に巻き込ませるように、ロール１１を回転させるロール回転機構１８と、一対の紐状体１５及び１６に張力を与えると共に一対の紐状体１５及び１６の他端１４側をロール１２に巻き込ませるような弾性的回転力をロール１２に付与する弾性的回転力付与機構１９と、ロール１１を回転自在に収容するハウジング２０と、ロール１２を回転自在に収容するハウジング２１とを具備している。
【００３２】
ロール１１は円筒状の中空体からなり、一端ではロール１１又はハウジング２０に固着された軸３１を介してハウジング２０に回転自在に支持されており、他端ではチューブラモータ３２及びハウジング２０に固着された軸３３を介して当該ハウジング２０に回転自在に支持されている。
【００３３】
ロール１２は、ロール１１と同様に円筒状の中空体からなり、一端ではロール１２又はハウジング２１に固着された軸３５を介してハウジング２１に回転自在に支持されており、他端では当該ロール１２に固着された軸３６を介してハウジング２１に回転自在に支持されている。
【００３４】
遮光スクリーン１７は、上下方向に伸びるその各縁部３８及び３９で対応の紐状体１５及び１６にスライドファスナー４１及び４２を介して取り外し自在に取り付けられている。スライドファスナー４１は、上下方向に伸びるその一方の縁部で紐状体１５に固着されており、上下方向に伸びるその他方の縁部で遮光スクリーン１７の縁部３８に固着されており、スライドファスナー４２は、上下方向に伸びるその一方の縁部で紐状体１６に固着されており、上下方向に伸びるその他方の縁部で遮光スクリーン１７の縁部３９に固着されている。
【００３５】
ロール回転機構１８は、回転力発生源として、ロール１１と同心に配されたチューブラモータ３２を具備しており、チューブラモータ３２は、その回転子がロール１１に固着されており、その固定子が軸３３に固着されている。
【００３６】
ロール回転機構１８は、チューブラモータ３２の作動によるその回転子の一方の方向の回転で紐状体１５及び１６を巻き込むようにロール１１を軸３１及び３３を中心としてＡ方向に回転させる一方、チューブラモータ３２の作動によるその回転子の他方の方向の回転で紐状体１５及び１６を巻き出すようにロール１１を軸３１及び３３を中心としてＣ方向に回転させると共に、それ以外の作動ではチューブラモータ３２の回転子に制動を掛けてロール１１のいずれの方向の回転をも禁止するようになっている。
【００３７】
弾性的回転力付与機構１９は、ロール１２の回転軸としての軸３６に固着されたプーリ５１と、ハウジング２１にブラケット５２を介して回転自在に支持された転向プーリ５３と、取り付け板５４に回転自在に支持された巻き取りドラム５５と、巻き取りドラム５５の側面に固着されて取り付け板５４に回転自在に支持されているプーリ５６と、転向プーリ５３に掛けまわされていると共に一端がプーリ５１に、他端がプーリ５６に夫々連結されている紐状体、本例ではワイヤロープ５７と、ブラケット５２に支持された一対のドラム５８及び５９と、ドラム５８に巻かれていると共に一端がドラム５８に他端が巻き取りドラム５５に連結された弾性的回転力発生源としての帯状の巻きばね６１と、ドラム５９に巻かれていると共に一端がドラム５９に他端が巻き取りドラム５５に連結された同じく弾性的回転力発生源としての帯状の巻きばね６２とを具備している。
【００３８】
弾性的回転力付与機構１９は、巻きばね６１及び６２のドラム５８及び５９への常時の弾性的な巻き付き力による巻き取りドラム５５を一方の方向に回転させようとする回転力をプーリ５６及びワイヤロープ５７を介してプーリ５１に伝達しており、而して、プーリ５１には、巻きばね６１及び６２により軸３５及び３６を中心としたＤ方向の弾性的回転力が与えられており、プーリ５１の斯かるＤ方向の弾性的回転力は、一対の紐状体１５及び１６に張力を常時与えるようにロール１２を同方向に回転させようとしている。
【００３９】
なお、ドラム５８及び巻きばね６１の組とドラム５９及び巻きばね６２の組とのうちのいずれか一方の組をもって弾性的回転力付与機構１９を構成してもよく、更には、ドラム５８、ワイヤロープ５７等を省いて巻きばね６１又は６２と同等の巻きばねを、その一端がロール１２にその他端が軸３６に夫々連結されるようにしてロール１２内に配して弾性的回転力付与機構１９を構成してもよい。この場合には、軸３６をハウジング２１に固着すると共に軸３６でもってロール１２を回転自在に支持するようにするとよい。
【００４０】
開口部３を間にして外壁２に固着されたハウジング２０及び２１の夫々は、一対の紐状体１５及び１６並びに遮光スクリーン１７が通過し得ると共に建物１の内部６４側であってガラス障子４際の空気層６５をハウジング２０及び２１の夫々の内部６６及び６７に夫々連通させる開口６８及び６９を有しており、ハウジング２０及び２１のうちの少なくとも一方のハウジング、本例では両方のハウジング２０及び２１の内部６６及び６７は、図示しないダクト等を介して建物１の空調機又は建物の外部７０に連通されている。
【００４１】
以上の遮光スクリーン装置５において遮光スクリーン１７は、ロール回転機構１８のチューブラモータ３２の作動によるロール１１のＡ方向の回転及びロール１１のＡ方向の回転に起因すると共に弾性的回転力付与機構１９の巻きばね６１及び６２の弾性的回転力に抗するロール１２の軸３５及び３６を中心とするＢ方向の回転で一対の紐状体１５及び１６を介して移動されて又はロール回転機構１８のチューブラモータ３２の作動によるロール１１のＣ方向の回転及びロール１１のＣ方向の回転に起因すると共に弾性的回転力付与機構１９の弾性的回転力によるロール１２のＤ方向の回転で一対の紐状体１５及び１６を介して移動されて図１に示す移動位置に配される際には建物１の開口部３の全領域を遮蔽することができ、また、図１に示す移動位置に配されている際に、ロール回転機構１８のチューブラモータ３２の作動によるロール１１のＡ方向の回転及びロール１１のＡ方向の回転に起因すると共に弾性的回転力付与機構１９の巻きばね６１及び６２の弾性的回転力に抗するロール１２のＢ方向の回転で一対の紐状体１５及び１６を介して移動されて図３に示す移動位置に配される際には建物１の開口部３における下方域７１を除くその他の領域を遮蔽することができる一方、ロール回転機構１８のチューブラモータ３２の作動によるロール１１のＣ方向の回転及びロール１１のＣ方向の回転に起因すると共に弾性的回転力付与機構１９の巻きばね６１及び６２の弾性的回転力によるロール１２のＤ方向の回転で一対の紐状体１５及び１６を介して移動されて図４に示す移動位置に配される際には建物１の開口部３における上方域７２を除くその他の領域を遮蔽することができる長さＬを有している。
【００４２】
遮光スクリーン１７が図３に示す移動位置に配される際には、空気層６５は、遮光スクリーン１７の下縁７６とハウジング２１とで形成される開口７７を介して建物１の内部６４に連通され、遮光スクリーン１７が図４に示す移動位置に配される際には、空気層６５は、遮光スクリーン１７の上縁７８とハウジング２０とで形成される開口７９を介して建物１の内部６４に連通されることになる。
【００４３】
更に、遮光スクリーン１７は、図１、図３又は図４に示す移動位置に配されている際に、ロール回転機構１８のチューブラモータ３２の作動によるロール１１のＡ方向の回転及びロール１１のＡ方向の回転に起因すると共に弾性的回転力付与機構１９の巻きばね６１及び６２の弾性的回転力に抗するロール１２のＢ方向の回転で一対の紐状体１５及び１６を介して移動されて全体がロール１１に巻き込まれることにより又はロール回転機構１８のチューブラモータ３２の作動によるロール１１のＣ方向の回転及びロール１１のＣ方向の回転に起因すると共に弾性的回転力付与機構１９の巻きばね６１及び６２の弾性的回転力によるロール１２のＤ方向の回転で一対の紐状体１５及び１６を介して移動されてその全体がロール１２に巻き込まれることにより、建物１の開口部３の全体を開放するようになる。
【００４４】
遮光スクリーン装置５によれば、遮光スクリーン１７を建物１の開口部３における上方域７２を除くその他の領域を遮蔽する移動位置と建物１の開口部３における下方域７１を除くその他の領域を遮蔽する移動位置とに配することができる結果、前者の移動位置では上方の視界を確保できる一方、後者の移動位置では下方の視界を確保でき、而して、建物１の開口部３における部分的な遮光を行いながら建物１の開口部３における上下のいずれかの視界を確保できる上に、遮光スクリーン１７を開口部３における全域を遮蔽又は開放する移動位置に配することができる結果、部分的な遮光に加えて建物１の開口部３における全体の遮光を行い得ると共に部分的な視界に加えて大きな視界をも確保できる。
【００４５】
加えて遮光スクリーン装置５によれば、遮光スクリーン１７が紐状体１５及び１６に対して取り外し自在であるために、設置作業の最後において遮光スクリーン１７を紐状体１５及び１６に取り付けることができる結果、美観を要求される遮光スクリーン１７に傷、汚れなどを生じさせる虞がなく、しかも、遮光スクリーン１７の交換も容易くできるために、常に、美麗な遮光スクリーン１７でもって遮光を行い得る。
【００４６】
更に遮光スクリーン装置５によれば、ロール１１と同心に配されたチューブラモータ３２を具備しているために、ロール１１周りをコンパクトにでき、建物１の開口部３周りにコンパクトに設置できる。
【００４７】
また上記の建物１によれば、遮光スクリーン装置５の遮光スクリーン１７とガラス障子４との間に空気層６５を形成でき、夏場においては遮光スクリーン１７を図３に示す移動位置に配することにより太陽光で暖められた空気層６５の空気を、冬場においては遮光スクリーン１７を図４に示す移動位置に配することにより外気で冷やされた空気層６５の空気を夫々建物１の内部６４に拡散させないようにできる上に、いずれの場合も部分的な視界を得ることができ、しかも、夏場においては太陽光で暖められたガラス障子４際の空気層６５の空気を開口６８及び内部６６を介して効果的に建物１の空調機又は建物の外部７０に導くことができ、冬場においては外気で冷やされたガラス障子４際の空気層６５の空気を開口６９及び内部６７を介して効果的に建物１の空調機又は建物の外部７０に導くことができ、いずれにしても空調に対するエネルギ消費量を大幅に削減できる。
【００４８】
ところで、上記の建物１では遮光スクリーン装置５を一つ設けたが、これに代えて、図５に示すように、外壁２の横幅広の開口部３に取り付けられた一枚の横幅広のガラス障子４又は複数枚のガラス障子４際に複数個互いに並置させて遮光スクリーン装置５を配してもよい。
【００４９】
図５に示す複数個の遮光スクリーン装置５では、ロール回転機構１８、弾性的回転力付与機構１９並びにハウジング２０及び２１を各ロール１１及び１２に対して共用させてもよく、この場合には、各ロール１１を回転軸等を具備した適宜な連結機構を介して互いに連結すると共に各ロール１２もまた回転軸等を具備した適宜な連結機構を介して互いに連結する。
【００５０】
共用のロール回転機構１８及び弾性的回転力付与機構１９を有した図５に示す複数個の遮光スクリーン装置５では、ロール回転機構１８の作動で、図６及び図７に示すように、各遮光スクリーン１７は同期して移動されて適宜な位置に配されることになり、各遮光スクリーン１７が図６に示すような位置に同期して配された場合には、各遮光スクリーン１７の下縁７６とハウジング２１（図１から図４参照）との間に開口７７が形成される一方、各遮光スクリーン１７が図７に示すような位置に同期して配された場合には、各遮光スクリーン１７の上縁７８とハウジング２０（図１から図４参照）との間に開口７９が形成される結果、上記と同様に、夏場においては太陽光で暖められた空気層６５の空気を、冬場においては外気で冷やされた空気層６５の空気を夫々建物１の内部６４に拡散させないようにできる上に、いずれの場合も部分的な視界を得ることができ、しかも、夏場においては太陽光で暖められ、冬場においては外気で冷やされたガラス障子４際の空気層６５の空気を夫々効果的に建物１の空調機又は建物の外部７０に導くことができ、空調に対するエネルギ消費量を大幅に削減できる。
【００５１】
なお、上記の例では、ロール回転機構１８を上方のハウジング２０側に配し、弾性的回転力付与機構１９を下方のハウジング２１側に配したが、これに代えて、ロール回転機構１８を下方のハウジング２１側に配し、弾性的回転力付与機構１９を上方のハウジング２０側に配してもよく、更には、ロール１２側に遮光スクリーン１７を移動させる場合、ロール１１を強制的にチューブラモータ３２でもってＣ方向に回転させることなしに、チューブラモータ３２の回転子に対する制動を解除するだけで、紐状体１５及び１６を介してロール１１に伝達される弾性的回転力付与機構１９からの弾性的回転力でもってロール１１をＣ方向に回転させるようにしてもよく、この場合にも、遮光スクリーン１７は、ロール回転機構１８のチューブラモータ３２の制動解除によるロール１１のＣ方向の回転及びロール１１のＣ方向の回転に起因すると共に弾性的回転力付与機構１９の弾性的回転力によるロール１２のＤ方向の回転で一対の紐状体１５及び１６を介して移動されることになり、本発明はこのような実施の形態をも包摂するのである。
【００５２】
【発明の効果】
本発明によれば、遮光と共に良好な視界を得ることができ、しかも、夏場においては太陽光で暖められ、冬場においては外気で冷やされたガラス障子際の空気を夫々効果的に建物の空調機又は建物の外部に導くことができる遮光スクリーン装置及びそれを具備した建物を提供することができる。
【図面の簡単な説明】
【図１】本発明の実施の形態の好ましい一例の正面説明図である。
【図２】図１に示す例の側面説明図である。
【図３】図１に示す例の動作説明図である。
【図４】図１に示す例の動作説明図である。
【図５】本発明の実施の形態の好ましい他の例の説明図である。
【図６】図５に示す例の動作説明図である。
【図７】図５に示す例の動作説明図である。
【符号の説明】
１  建物
２  外壁
３  開口部
４  ガラス障子
５  遮光スクリーン装置
１１、１２  ロール
１５、１６  紐状態
１７  遮光スクリーン
１８  ロール回転機構
１９  弾性的回転力付与機構
【図１】
2004257077.tif 000003
【図２】
2004257077.tif 000004
【図３】
2004257077.tif 000005
【図４】
2004257077.tif 000006
【図５】
2004257077.tif 000007
【図６】
2004257077.tif 000008
【図７】
2004257077.tif 000009